(57)【特許請求の範囲】
【請求項１】
シートを搬送向きへ搬送し、当該搬送向きと直交する幅方向においてそれぞれが間隔を空けて配置された複数のローラと、
上記複数のローラよりも上記搬送向きの上流に配置されたプラテンと、
上記プラテンの上方に配置されており、上記プラテンへ向けて複数のノズルからインク滴を吐出する記録部と、
上記プラテンにおいて少なくとも上記ノズルと対向する位置に設けられており、上記幅方向においてそれぞれが間隔を空けて配置されており、シートを支持する支持面を有する複数の第１リブと、
上記搬送向きにおける上記複数の第１リブ及び上記複数のローラの間に設けられており、上記幅方向においてそれぞれが間隔を空けて配置されており、シートを支持する支持面を有する複数の第２リブと、を備え、
上記複数のローラ、上記複数の第１リブ、及び上記複数の第２リブの各々は、上記幅方向において少なくとも一部が重複する位置に配置されており、
上記複数の第２リブの各支持面の上記幅方向の長さは、上記複数の第１リブの各支持面の上記幅方向の長さよりも長く、且つ上記複数のローラのそれぞれにおけるシートとの当接面の上記幅方向の長さよりも短いインクジェット記録装置。
【請求項２】
上記複数の第２リブは、上記ノズルよりも上記搬送向きの下流に配置されている請求項１に記載のインクジェット記録装置。
【請求項３】
上記複数の第２リブは、上記搬送向きにおいて上記複数の第１リブと間隔を空けて配置されている請求項２に記載のインクジェット記録装置。
【請求項４】
上記プラテンは、上記搬送向きにおける上記複数の第１リブ及び上記複数の第２リブの間、且つ上記幅方向において隣り合う上記第２リブの間に設けられており、シートを支持する支持面を有する第３リブを備えており、
上記第３リブの支持面は、上記第１リブの支持面よりも下方に位置する請求項３に記載のインクジェット記録装置。
【請求項５】
上記ノズルよりも上記搬送向きの上流であって上記幅方向において隣り合う上記第１リブの間に設けられており、上記第１リブに支持されたシートに上方から当接する当接部を備える請求項１から４のいずれかに記載のインクジェット記録装置。
【請求項６】
上記第２リブの支持面の上記幅方向の長さは、上記搬送向きの下流へ向かうにしたがって長くなる請求項１から５のいずれかに記載のインクジェット記録装置。
【請求項７】
上記複数のローラの各当接面は、上記複数の第１リブ、上記複数の第２リブ、及び上記複数の第３リブの各支持面が当接するシートの面と同じ面に当接する請求項４に記載のインクジェット記録装置。
【発明の詳細な説明】
【技術分野】
【０００１】
本発明は、ノズルからインク滴を吐出することによってシートに画像を記録するインクジェット記録装置に関する。
【背景技術】
【０００２】
インクジェット記録装置において、装置内部に形成された搬送路を搬送されているシートが、当該シートを支持しているプラテンから浮き上がってしまうことがある。シートの浮き上がりがノズルと対向する位置において発生すると、シートとノズルとの間隔が変化してしまい、シートに記録される画像の画質に影響を及ぼしてしまうおそれがある。
【０００３】
このような問題を解決するために、特許文献１には、プラテン上に、シートの搬送向きに沿って延びた高いリブと低いリブとが幅方向に沿って交互に配置されたインクジェット記録装置が開示されている。特許文献１に開示されたインクジェット記録装置において、高いリブと低いリブとによって支持されたシートに、ノズルから吐出されたインク滴が付着すると、当該シートは、幅方向に沿って波打ちした状態となる。これにより、シートの上方への反り返りが低減されるため、シートとノズルとの間隔の変化を低減することができる。
【先行技術文献】
【特許文献】
【０００４】
【特許文献１】特開２００３−２９１４３０号公報
【発明の概要】
【発明が解決しようとする課題】
【０００５】
しかしながら、特許文献１に開示されたインクジェット記録装置では、以下の問題が発生する。当該インクジェット記録装置は、プラテンの搬送向きの下流に、シートを搬送するためのローラを備えている。当該ローラは、リブによって形成されたシートの波形状をプラテンの全域において確実に維持するために、幅方向におけるリブと同位置に、幅方向に沿って複数設けられている。
【０００６】
各ローラの幅方向の長さは、各リブの幅方向の長さよりも長い。そのため、プラテン上でリブによって支持されて波形状を形成していたシートがローラへ進入すると、シートにおけるローラへ進入した部分においてシートの波形状の波長が急に変わる。その結果、シートにおけるローラへ進入した部分のみならず、シートにおけるリブに支持されている部分の波形状も崩れるおそれがある。シートにおけるリブに支持された部分の波形状が崩れると、シートに記録される画像に影響が及ぶおそれがある。
【０００７】
本発明は、上記問題に鑑みてなされたものであり、その目的は、プラテン上においてシートの波形状を良好に維持することができるインクジェット記録装置を提供することにある。
【課題を解決するための手段】
【０００８】
(1)  本発明に係るインクジェット記録装置は、シートを搬送向きへ搬送し、当該搬送向きと直交する幅方向においてそれぞれが間隔を空けて配置された複数のローラと、上記複数のローラよりも上記搬送向きの上流に配置されたプラテンと、上記プラテンの上方に配置されており、上記プラテンへ向けて複数のノズルからインク滴を吐出する記録部と、上記プラテンに設けられており、上記幅方向においてそれぞれが間隔を空けて配置されており、シートを支持する支持面を有する複数の第１リブと、上記搬送向きにおける上記複数の第１リブ及び上記複数のローラの間に設けられており、上記幅方向においてそれぞれが間隔を空けて配置されており、シートを支持する支持面を有する複数の第２リブと、を備える。上記複数のローラ、上記複数の第１リブ、及び上記複数の第２リブの各々は、上記幅方向において少なくとも一部が重複する位置に配置されている。上記複数の第２リブの各支持面の上記幅方向の長さは、上記複数の第１リブの各支持面の上記幅方向の長さよりも長く、且つ上記複数のローラのそれぞれにおけるシートとの当接面の上記幅方向の長さよりも短い。
【０００９】
本構成によれば、第１リブによって形成されたシートの幅方向に沿った波形状は、シートが搬送向きの下流へ搬送されて第２リブへ到達し、次いでローラへ到達するにしたがって段階的に変わる。これにより、シートのローラ進入時における波形状の崩れを低減することができる。
【００１０】
(2)  上記複数の第２リブは、上記ノズルよりも上記搬送向きの下流に配置されている。
【００１１】
本構成によれば、シートのノズルと対向する部分における幅方向に沿った波形状を、第１リブのみで形成することができる。これにより、シートのノズルと対向する部分における幅方向に沿った波形状を一定形状に維持することができる。
【００１２】
(3)  上記複数の第２リブは、上記搬送向きにおいて上記複数の第１リブと間隔を空けて配置されている。
【００１３】
本構成によれば、搬送向きにおける第１リブと第２リブとの間のプラテンの領域を、所謂縁なし印刷の際にシートの外縁部へ吐出されたインク滴が着弾する領域として利用することができる。つまり、本構成に係るインクジェット記録装置を縁なし印刷可能な装置とすることができる。
【００１４】
(4)  上記プラテンは、上記搬送向きにおける上記複数の第１リブ及び上記複数の第２リブの間、且つ上記幅方向において隣り合う上記第２リブの間に設けられており、シートを支持する支持面を有する第３リブを備えている。上記第３リブの支持面は、上記第１リブの支持面よりも下方に位置する。
【００１５】
本構成によれば、搬送向きにおける第１リブと第２リブとの間において、シートにおける波形状の谷の部分は第３リブによって支持される。これにより、縁なし印刷の際に、搬送向きにおける第１リブと第２リブとの間のプラテンの領域に着弾したインクがシートへ付着することを低減することができる。
【００１６】
(5)  本発明に係るインクジェット記録装置は、上記ノズルよりも上記搬送向きの上流であって上記幅方向において隣り合う上記第１リブの間に設けられており、上記第１リブに支持されたシートに上方から当接する当接部を備える。
【００１７】
本構成によれば、第１リブと当接部とが協同して、シートに幅方向に沿った波形状を付与することができる。これにより、安定した波形状をシートに付与することができる。
【００１８】
(6)  上記第２リブの支持面の上記幅方向の長さは、上記搬送向きの下流へ向かうにしたがって長くなる。
【００１９】
本構成によれば、第１リブによって形成されたシートの幅方向に沿った波形状の、搬送向きの下流へ向かうに従った段階的な変化を細かくすることができる。これにより、シートのローラ進入時における波形状の崩れを更に低減することができる。
【００２０】
(7)  例えば、上記複数のローラの各当接面は、上記複数の第１リブ、上記複数の第２リブ、及び上記複数の第３リブの各支持面が当接するシートの面と同じ面に当接する。
【発明の効果】
【００２１】
本発明によれば、プラテン上においてシートの波形状を良好に維持することができる。
【図面の簡単な説明】
【００２２】
【図１】図１は、本発明の実施形態の一例である複合機１０の斜視図である。
【図２】図２は、プリンタ部１１の内部構造を模式的に示す縦断面図である。
【図３】図３は、プラテン４２と当接部材８１と搬送ローラ６０と排出ローラ６２とを示す平面図である。
【図４】図４は、図３のＩＶ−ＩＶ断面図である。
【図５】図５は、プラテン４２と当接部材８１と用紙１２とを模式的に示す断面図である。
【図６】図６（Ａ）は、上面９１Ａが平面である第１リブ９１と用紙１２とを模式的に示す断面図であり、図６（Ｂ）は、上面９１Ａが湾曲面である第１リブ９１と用紙１２とを模式的に示す断面図であり、図６（Ｃ）は、第１リブ９１と第２リブ９２と用紙１２とを模式的に示す断面図である。
【図７】図７は、変形例における第１リブ９１と第２リブ９２と排出ローラ６２と当接部材８１とを模式的に示す平面図であり、（Ａ）には第２リブ９２が領域９４内に配置された構成が示されており、（Ｂ）には第２リブ９２の上面９２Ａの左右方向９の長さが搬送向き１５の下流である程に長い構成が示されている。
【図８】図８は、変形例における第１リブ９１と第２リブ９２と排出ローラ６２と当接部材８１とを模式的に示す平面図であり、（Ａ）には第１リブ９１の上面９１Ａ及び第２リブ９２の上面９２Ａの左右方向９の長さが搬送向き１５の下流である程に長い構成が示されており、（Ｂ）には第１リブ９１と第２リブ９２とが繋がっている構成が示されている。
【図９】図９は、変形例における第１リブ９１と第２リブ９２と排出ローラ６２と当接部材８１とを模式的に示す平面図であり、第１リブ９１及び第２リブ９２が搬送向き１５に間隔を空けて配置された複数のリブである構成が示されている。
【発明を実施するための形態】
【００２３】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１の状態）を基準として上下方向７が定義され、開口１３が設けられている面を前面１４として前後方向８が定義され、複合機１０を前方から視て左右方向９が定義される。上下方向７、前後方向８、及び左右方向９は、互いに直交している。
【００２４】
［複合機１０の全体構造］
図１に示されるように、複合機１０（インクジェット記録装置の一例）は、薄型の直方体に概ね形成されている。複合機１０の下部にプリンタ部１１が設けられている。複合機１０は、ファクシミリ機能及びプリント機能などの各種の機能を有している。複合機１０は、プリント機能として、インクジェット方式で用紙１２（図２参照、シートの一例）の片面に画像を記録する機能を有している。なお、複合機１０は、用紙１２の片面及び両面に画像を記録するものであってもよい。
【００２５】
［給送トレイ２０］
図１に示されるように、プリンタ部１１の正面には、開口１３が形成されている。給送トレイ２０が、前後方向８へ移動することによって、開口１３を介してプリンタ部１１に対して挿入及び脱抜可能である。給送トレイ２０は、上方が開放された箱形状の部材である。図２に示されるように、給送トレイ２０の底板２２に、用紙１２が重ねられた状態で支持される。給送トレイ２０の前部の上方には、排出トレイ２１が支持されている。排出トレイ２１は、給送トレイ２０と一体に前後方向８へ移動する。排出トレイ２１の上面には、記録部２４によって画像を記録された用紙１２が排出される。なお、排出トレイ２１は、プリンタ部１１に支持されていてもよい。
【００２６】
［給送部１６］
図２に示されるように、給送部１６は、記録部２４の下方に配置されている。給送部１６は、給送ローラ２５、給送アーム２６、駆動伝達機構２７、及び軸２８を備えている。給送ローラ２５は、給送アーム２６の先端部で回転可能に支持されている。給送アーム２６は、基端部に設けられた軸２８を中心として、矢印２９の方向に回動する。これにより、給送ローラ２５は、給送トレイ２０または給送トレイ２０に支持された用紙１２に対して、当接及び離間が可能である。
【００２７】
給送ローラ２５は、複数のギヤが噛合されてなる駆動伝達機構２７によって、給送モータ（不図示）の駆動力が伝達されて回転する。これにより、給送トレイ２０の底板２２に支持された用紙１２のうち、給送ローラ２５と当接している最上の用紙１２が、搬送路６５へ給送される。なお、駆動伝達機構２７は、複数のギヤが噛合されている形態に限らず、例えば軸２８と給送ローラ２５の軸とに架け渡されたベルトであってもよい。
【００２８】
［搬送路６５］
図２に示されるように、給送トレイ２０の後端部から搬送路６５が延出されている。搬送路６５は、湾曲部３３と直線部３４とを備える。湾曲部３３は、上方へ向かいつつ後方から前方へＵターンするように延びている。直線部３４は、概ね前後方向８に沿って延びている。
【００２９】
湾曲部３３は、所定間隔を隔てて互いに対向する外ガイド部材１８と内ガイド部材１９とによって形成されている。各ガイド部材１８、１９は、図２における紙面と直交する方向である左右方向９（幅方向の一例）へ延設されている。直線部３４は、後述する搬送ローラ対５９、所定間隔を隔てて互いに対向する記録部２４とプラテン４２、及び後述する排出ローラ対４４によって形成されている。
【００３０】
給送トレイ２０に支持された用紙１２は、給送ローラ２５によって湾曲部３３を搬送されて、後述する搬送ローラ対５９に到達する。搬送ローラ対５９に挟持された用紙１２は、直線部３４を記録部２４へ向けて前方へ搬送される。記録部２４の直下に到達した用紙１２は、記録部２４により画像を記録される。画像が記録された用紙１２は、直線部３４を前方へ搬送されて排出トレイ２１に排出される。以上より、用紙１２は、図２に一点鎖線の矢印で示される搬送向き１５に沿って搬送される。
【００３１】
［記録部２４］
図２に示されるように、記録部２４は、直線部３４の上方に配置されている。直線部３４の下方且つ記録部２４と対向する位置には、搬送路６５の直線部３４を搬送向き１５へ搬送される用紙１２を支持するプラテン４２が配置されている。プラテン４２については、後に詳細に説明される。
【００３２】
記録部２４は、キャリッジ４０と記録ヘッド３８とを備えている。キャリッジ４０は、前後方向８に間隔を空けて配置された２つのガイドレール５６、５７によって左右方向９に沿って移動可能に支持されている。ガイドレール５６は、記録ヘッド３８よりも搬送向き１５の上流に配置されている。ガイドレール５７は、記録ヘッド３８よりも搬送向き１５の下流に配置されている。ガイドレール５６、５７は、左右方向９において搬送路６５の直線部３４の外方に配置された一対のサイドフレーム（不図示）によって支持されている。キャリッジ４０は、キャリッジ駆動モータ（不図示）から駆動力を付与されることにより移動する。
【００３３】
記録ヘッド３８は、キャリッジ４０に搭載されている。記録ヘッド３８には、インクカートリッジ（不図示）からインクが供給される。記録ヘッド３８の下面には、複数のノズル３９が形成されている。キャリッジ４０が左右方向９へ移動しているときに、記録ヘッド３８は、ノズル３９からインク滴をプラテン４２へ向けて吐出する。これにより、直線部３４を搬送向き１５へ搬送されてプラテン４２に支持されている用紙１２に画像が記録される。
【００３４】
［搬送ローラ対５９及び排出ローラ対４４］
図２に示されるように、直線部３４における記録ヘッド３８よりも搬送向き１５の上流には、搬送ローラ対５９が配置されている。直線部３４における記録ヘッド３８よりも搬送向き１５の下流には、排出ローラ対４４が配置されている。
【００３５】
搬送ローラ対５９は、搬送ローラ６０と、搬送ローラ６０の下方に搬送ローラ６０と対向して配置されたピンチローラ６１とを備えている。図３に示されるように、搬送ローラ６０は、左右方向９へ延びた円筒状の部材である。搬送ローラ６０は、一対のサイドフレーム（不図示）によって、回転可能に支持されている。ピンチローラ６１は、複数設けられており、それぞれが左右方向９に間隔を空けて配置されている。各ピンチローラ６１は、コイルバネなどの弾性部材（不図示）によって搬送ローラ６０に押圧されている。
【００３６】
搬送ローラ６０の表面６０Ａ（図４参照）が用紙１２の第１面（記録部２４と対向する面）と当接し、各ピンチローラ６１の表面６１Ａ（図４参照）が用紙１２の第２面（第１面と反対の面）と当接することによって、搬送ローラ対５９は用紙１２を挟持可能である。
【００３７】
図２に示されるように、排出ローラ対４４は、排出ローラ６２と、排出ローラ６２の上方に排出ローラ６２と対向して配置された拍車ローラ６３とを備えている。図３に示されるように、排出ローラ６２は、搬送向き１５と直交する左右方向９へ延びた軸６４と、左右方向９にそれぞれが間隔を空けて軸６４を覆うように取り付けられた複数のローラ部５８（複数のローラの一例）とを備えている。排出ローラ６２は、一対のサイドフレーム（不図示）によって、回転可能に支持されている。図２に示される拍車ローラ６３は、複数設けられており、それぞれが左右方向９に間隔を空けて配置されている。各拍車ローラ６３は、左右方向９において各ローラ部５８と対向して配置されている。各拍車ローラ６３は、コイルバネなどの弾性部材（不図示）によって各ローラ部５８へ向けて押圧されている。なお、図３及び図４において、拍車ローラ６３の図示は省略されている。
【００３８】
排出ローラ６２の各ローラ部５８の表面５８Ａ（当接面の一例、図４参照）が用紙１２の第２面と当接し、各拍車ローラ６３を構成する歯車の歯の先端が用紙１２の第１面と当接することによって、排出ローラ対４４は用紙１２を挟持可能である。
【００３９】
搬送ローラ６０及び排出ローラ６２は、搬送モータ（不図示）から駆動力を付与されて回転する。搬送ローラ対５９に用紙１２が挟持されている状態で搬送ローラ６０が回転すると、当該用紙１２は、搬送ローラ対５９によって搬送向き１５へ搬送され、プラテン４２上に搬送される。排出ローラ対４４に用紙１２が挟持されている状態で排出ローラ６２が回転すると、当該用紙１２は、排出ローラ対４４によって搬送向き１５へ搬送され、排出トレイ２１上に排出される。
【００４０】
［当接部材８１］
図２に示されるように、記録ヘッド３８に形成されたノズル３９よりも搬送向き１５の上流には、当接部材８１が配置されている。当接部材８１は、合成樹脂（例えばポリアセタール（ＰＯＭ））により成形されている。なお、当接部材８１は、複数の部材が嵌合などによって組み合わせられたものであってもよい。
【００４１】
図３に示されるように、当接部材８１は、複数設けられており、それぞれが左右方向９に間隔を空けて配置されている。本実施形態において、当接部材８１の数は９個であるが、９個以外の数であってもよい。
【００４２】
各当接部材８１は、その搬送向き１５の上流端部８１Ｂにおいて、嵌合などの公知の手段によってガイドレール５６に取り付けられている。
【００４３】
各当接部材８１は、上流端部８１Ｂから下方且つ前方に湾曲している。これにより、各当接部材８１は、複数のノズル３９のうち最も上流に配置されたノズル３９の搬送向き１５の上流近傍まで延設されている。また、各当接部材８１は、上下方向７において、プラテン４２へ向かって延設されている。各当接部材８１の搬送向き１５の下流端部８１Ａ（当接部の一例、図２参照）は、プラテン４２に支持された用紙１２の上面と当接可能である。
【００４４】
［プラテン４２］
図２に示されるように、プラテン４２は、搬送路６５の直線部３４における搬送ローラ対５９及び排出ローラ対４４の間に配置されている。
【００４５】
図４に示されるように、プラテン４２は、本体部７７と、収容部７９と、第１リブ９１と、第２リブ９２と、第３リブ９３とを備えている。本体部７７は、板状に構成されている。収容部７９は、インクを吸収するインク吸収材８２を収容する部分であり、本体部７７から搬送向き１５の下流へ延出されている。第１リブ９１、第２リブ９２、及び第３リブ９３は、用紙１２を支持する。第１リブ９１及び第３リブ９３は、本体部７７から上方へ突出され且つ搬送向き１５に沿って延出されている。第２リブ９２は、本体部７７の下流端から上方且つ搬送向き１５の下流へ突出されている。
【００４６】
図３及び図４に示されるように、本体部７７は、左右方向９及び前後方向８が上下方向７の長さよりも長い板形状の部材である。本体部７７の左右方向９の長さは、前後方向８の長さよりも長い。本体部７７は、記録ヘッド３８に形成されたノズル３９と対向して配置されている。
【００４７】
図３に示されるように、本体部７７の上面８０は、前後方向８及び左右方向９に拡がる面である。上面８０は、第１領域８０Ａ、第２領域８０Ｂ、及び第３領域８０Ｃで構成されている。第１領域８０Ａは、記録部２４が用紙１２の端までインク滴を吐出する所謂縁なし印刷が実行されるときに、用紙１２の搬送向き１５の端部周辺の真下に位置する領域である。第２領域８０Ｂは、縁なし印刷が実行されるときに、複合機１０において印刷可能に設定されている各種サイズの用紙１２の右端部及び左端部周辺の真下に位置する領域である。第３領域８０Ｃは、縁なし印刷が実行されるときに、用紙１２の搬送向き１５の端部並びに右端部及び左端部の真下以外に位置する領域である。縁なし印刷が実行されるとき、第１領域８０Ａ及び第２領域８０Ｂの一部（用紙１２が支持されていない部分）には、インク滴が着弾されて付着する。
【００４８】
第１領域８０Ａは、第３領域８０Ｃよりも搬送向き１５の下流の領域である。第１領域８０Ａの搬送向き１５の上流端は、記録ヘッド３８の複数のノズル３９のうち、搬送向き１５の最も上流に位置するノズル３９と最も下流に位置するノズル３９との間に位置している。第１領域８０Ａの搬送向き１５の下流端は、記録ヘッド３８の複数のノズル３９のうち、搬送向き１５の最も下流に位置するノズル３９と略同位置である。
【００４９】
第２領域８０Ｂの搬送向き１５の上流端は、記録ヘッド３８のノズル３９よりも搬送向き１５の上流に位置している。第２領域８０Ｂの搬送向き１５の下流端は、記録ヘッド３８の複数のノズル３９のうち、搬送向き１５の最も下流に位置するノズル３９の位置７１と略同位置である。
【００５０】
第３領域８０Ｃの搬送向き１５の上流端は、記録ヘッド３８のノズル３９よりも搬送向き１５の上流に位置している。第３領域８０Ｃの搬送向き１５の下流端は、記録ヘッド３８の複数のノズル３９のうち、搬送向き１５の最も上流に位置するノズル３９と最も下流の位置７１のノズル３９との間に位置している。
【００５１】
第１リブ９１、第２リブ９２、及び第３リブ９３は、それらの上面９１Ａ、９２Ａ、９３Ａ（図４参照）が用紙１２の第２面に下方から当接することによって、用紙１２を支持する。これにより、第１領域８０Ａ及び第２領域８０Ｂに付着したインクが用紙１２の下面に付着することが低減される。第１リブ９１、第２リブ９２、及び第３リブ９３については、後に詳細に説明される。
【００５２】
図４に示されるように、本体部７７の搬送向き１５の下流端から収容部７９が延出されている。収容部７９は、側面７９Ａ、底面７９Ｂ、及び側面７９Ｃによって区画された凹部を備えている。側面７９Ａは、本体部７７の搬送向き１５の下流端から下方へ延びている。底面７９Ｂは、側面７９Ａの下端から搬送向き１５へ延びている。側面７９Ｃは、底面７９Ｂの搬送向き１５の下流端から上方へ延びている。側面７９Ａ、７９Ｃは、上下方向７及び左右方向９に拡がる面である。底面７９Ｂは、前後方向８及び左右方向９に拡がる面である。収容部７９には、インク吸収材８２が収容される。インク吸収材８２は、発泡ポリウレタンなどの多孔材料からなる。
【００５３】
本体部７７の上面８０は、搬送向き１５へ向かって下方へ僅かに傾斜している。これにより、上面８０（第１領域８０Ａ及び第２領域８０Ｂ）に付着したインクは、搬送向き１５へ流れる。上面８０の搬送向き１５の下流端へ到達したインクは、側面７９Ａに沿って流れて、インク吸収材８２へ導かれ、インク吸収材８２に吸収される。
【００５４】
［下流支持部７８］
図３及び図４に示されるように、プラテン４２よりも搬送向き１５の下流に、プラテン４２との間に間隔を空けて下流支持部７８が設けられている。下流支持部７８は、前後方向８及び左右方向９が上下方向７の長さよりも長い板形状の部材である。下流支持部７８の左右方向９の長さは、前後方向８の長さよりも長い。下流支持部７８は、右端部及び左端部において、一対のサイドフレームによって支持されている。下流支持部７８は、プラテン４２から搬送されてきた用紙１２を支持しつつ排出ローラ対４４へ案内する部材である。
【００５５】
図４に示されるように、下流支持部７８の搬送向き１５の上流端部７８Ａは、プラテン４２の収容部７９の上方に位置している。また、下流支持部７８の搬送向き１５の上流端は、プラテン４２の本体部７７の搬送向き１５の下流端と、搬送方向１５に間隔を空けて対向している。プラテン４２の上面８０の第１領域８０Ａ及び第２領域８０Ｂに付着したインクは、プラテン４２と下流支持部７８との間の隙間から収容部７９へ導かれる。
【００５６】
図３に示されるように、下流支持部７８の搬送向き１５の上流端には、搬送向き１５へ凹む凹部７０が形成されている。凹部７０が形成されている箇所において、プラテン４２と下流支持部７８との搬送向き１５における隙間は大きくなっている。後述するように、凹部７０内には、第２リブ９２が位置している。
【００５７】
［第１リブ９１］
図３に示されるように、第１リブ９１は、本体部７７の上面８０に形成されている。第１リブ９１は、第３領域８０Ｃの搬送向き１５の上流端から下流端に亘って、搬送向き１５に沿って延びている。
【００５８】
第１リブ９１は、複数設けられており、左右方向９においてそれぞれが間隔を空けて配置されている。各第１リブ９１は、排出ローラ６２の各ローラ部５８の右端及び左端の間に位置している。なお、各第１リブ９１の一部が、各ローラ部５８の右端よりも右方または各ローラ部５８の左端よりも左方に位置していてもよい。つまり、各第１リブ９１は、左右方向９において少なくとも一部が各ローラ部５８と重複する位置に設けられていればよい。
【００５９】
また、各第１リブ９１は、左右方向９において隣り合う複数の当接部材８１の下流端部８１Ａの間に形成されている。
【００６０】
各第１リブ９１は、上面９１Ａにおいて用紙１２を支持する。図４に示されるように、各第１リブ９１の上面９１Ａは、排出ローラ６２の各ローラ部５８の表面５８Ａの上端よりも下方に位置する。
【００６１】
また、各第１リブ９１の上面９１Ａは、当接部材８１の下流端部８１Ａが用紙１２の上面と当接する箇所よりも上方に位置する。各第１リブ９１が以上のように構成されていることにより、図５に示されるように、各第１リブ９１の上面９１Ａに支持され且つ各当接部材８１の下流端部８１Ａに当接された用紙１２は、左右方向９に連続する波形状にされる。つまり、各第１リブ９１は、用紙１２を支持することによって各当接部材８１の下流端部８１Ａと協同して用紙１２に左右方向９に沿った波形状を付与する。
【００６２】
［第２リブ９２］
図３に示されるように、第２リブ９２は、本体部７７の下流端から搬送向き１５の下流へ延出されている。換言すると、第２リブ９２は、第１リブ９１よりも搬送向き１５の下流に、第１リブ９１との間に搬送向き１５に間隔を空けて配置されている。更に換言すると、第２リブ９２は、ノズル３９よりも搬送向き１５の下流に配置されている。
【００６３】
また、第２リブ９２は、排出ローラ６２のローラ部５８よりも搬送向き１５の上流に配置されている。以上より、第２リブ９２は、搬送向き１５における複数の第１リブ９１及び複数のローラ部５８の間に設けられている。
【００６４】
第２リブ９２は、複数設けられており、左右方向９においてそれぞれが間隔を空けて複数配置されている。各第２リブ９２は、下流支持部７８の凹部７０内に位置している。
【００６５】
各第２リブ９２は、排出ローラ６２の各ローラ部５８の右端及び左端の間に位置している。なお、各第２リブ９２の一部が、各ローラ部５８の右端よりも右方または各ローラ部５８の左端よりも左方に位置していてもよい。つまり、各第２リブ９２は、左右方向９において少なくとも一部が各ローラ部５８と重複する位置に設けられていればよい。
【００６６】
各第２リブ９２の右端及び左端の間に、各第１リブ９１が位置している。なお、各第１リブ９１の一部が、各第２リブ９２の右端よりも右方または各第２リブ９２の左端よりも左方に位置していてもよい。つまり、各第２リブ９２は、左右方向９において少なくとも一部が各第１リブ９１と重複する位置に設けられていればよい。
【００６７】
各第２リブ９２は、上面９２Ａにおいて用紙１２を支持する。図４に示されるように、各第２リブ９２の上面９２Ａは、各第１リブ９１の上面９１Ａと略同じ高さであるが、各第１リブ９１の上面９１Ａよりも下方に位置していてもよい。また、各第２リブ９２の上面９２Ａは、排出ローラ６２の各ローラ部５８の表面５８Ａの上端よりも下方に位置する。
【００６８】
［第３リブ９３］
図３に示されるように、第３リブ９３は、本体部７７の上面８０に形成されている。第３リブ９３は、第１領域８０Ａ及び第２領域８０Ｂに設けられている。第３リブ９３は、搬送向き１５において、第１領域８０Ａの上流端から下流端に亘って、搬送向き１５に沿って延びている。つまり、第３リブ９３は、搬送向き１５における第１リブ９１及び第２リブ９２の間に設けられている。
【００６９】
第３リブ９３は、左右方向９において間隔を空けて複数形成されている。各第３リブ９３は、左右方向９において、隣り合う第１リブ９１の間、且つ隣り合う第２リブ９２の間に設けられている。また、各第３リブ９３は、左右方向９において、各当接部材８１の下流端部８１Ａの右端及び左端の間に位置している。なお、各第３リブ９３の一部が、各下流端部８１Ａの右端よりも右方または各下流端部８１Ａの左端よりも左方に位置していてもよい。
【００７０】
各第３リブ９３は、上面９３Ａにおいて用紙１２を支持する。図４に示されるように、各第３リブ９３の上面９３Ａは、各第１リブ９１の上面９１Ａ、及び各第２リブ９２の上面９２Ａよりも下方に位置する。
【００７１】
［第１リブ９１、第２リブ９２、及びローラ部５８の左右方向９の長さ］
図３に示されるように、各第２リブ９２における用紙１２の支持面９２Ｂの左右方向９の長さＬ２は、各第１リブ９１における用紙１２の支持面９１Ｂの左右方向９の長さＬ１よりも長い。また、排出ローラ６２の各ローラ部５８の表面５８Ａの左右方向９の長さＬ３は、各第２リブ９２の支持面９２Ｂの左右方向９の長さＬ２よりも長い。
【００７２】
支持面９１Ｂは、各第１リブ９１の上面９１Ａのうち、用紙１２が当接する部分である。支持面９１Ｂの左右方向９の長さＬ１は、用紙１２と支持面９１Ｂとが当接する部分における右端と左端との左右方向９の長さである。
【００７３】
支持面９２Ｂは、各第２リブ９２の上面９２Ａのうち、用紙１２が当接する部分である。支持面９２Ｂの左右方向９の長さＬ２は、用紙１２と支持面９２Ｂとが当接する部分における右端と左端との左右方向９の長さである。
【００７４】
例えば、図６（Ａ）に示されるように、第１リブ９１の上面９１Ａが平面であり、用紙１２が上面９１Ａの右端部及び左端部のみと当接し且つ中央部とは当接していない場合、支持面９１Ｂの左右方向９の長さは、図６（Ａ）にＬ１で示される長さである。つまり、この場合、上面９１Ａの左右方向９の長さと、支持面９１Ｂの左右方向９の長さＬ１とは、同一である。第２リブ９２の上面９２Ａについても同様である。
【００７５】
また、例えば、図６（Ｂ）に示されるように、第１リブ９１の上面９１Ａが湾曲面であり、用紙１２が上面９１Ａの中央部のみと当接し且つ右端部及び左端部とは当接していない場合、支持面９１Ｂの左右方向９の長さは、支持面９１Ａと用紙１２とが当接している部分の右端及び左端の間の長さ、換言すると図６（Ｂ）にＬ１で示される長さである。つまり、この場合、上面９１Ａの左右方向９の長さは、支持面９１Ｂの左右方向９の長さＬ１よりも長い。第２リブ９２の上面９２Ａについても同様である。
【００７６】
また、例えば、図６（Ｃ）に示されるように、第１リブ９１の上面９１Ａの左右方向９の長さと、第２リブ９２の上面９２Ａの左右方向９の長さとが、共にＬ４で示される長さであって等しく、且つ、第２リブ９２の上面９２Ａの曲率半径が第１リブ９１の上面９１Ａの曲率半径よりも大きい場合、支持面９１Ａの左右方向９の長さはＬ１で示される長さであり、支持面９２Ａの左右方向９の長さはＬ２で示される長さである。つまり、第２リブ９２の支持面９２Ｂの左右方向９の長さＬ２は、第１リブ９１の支持面９１Ｂの左右方向９の長さＬ１よりも長い。
【００７７】
なお、支持面９１Ｂ、９２Ｂの左右方向９の長さは、用紙１２の湾曲状態、各リブ９１の左右方向９の間隔、各リブ９２の左右方向９の間隔、各リブ９１、９２と各当接部材８１の下流端部８１Ａとの左右方向９の間隔、各リブ９１、９２の上端と各当接部材９１の下流端部８１Ａの下端との上下方向７の長さ、各リブ９１、９２の上面９１Ａ、９２Ａの形状などに応じて異なる長さとなり得る。
【００７８】
表面５８Ａは、各ローラ部５８において用紙１２が当接する面である。表面５８Ａの左右方向９の長さＬ３は、各ローラ部５８の径方向の外方を向く面の右端から左端までの長さである。
【００７９】
［実施形態の効果］
本実施形態によれば、各第２リブ９２の上面９２Ａの左右方向９の長さＬ２は、各第１リブ９１の上面９１Ａの左右方向９の長さＬ１よりも長く、且つ排出ローラ６２の各ローラ部５８の表面５８Ａの左右方向９の長さＬ３よりも短い。そのため、第１リブ９１によって形成された用紙１２の左右方向９に沿った波形状は、用紙１２が搬送向き１５の下流へ搬送されて第２リブ９２へ到達し、次いでローラ部５８へ到達するにしたがって段階的に変わる。これにより、用紙１２のローラ部５８進入時における波形状の崩れを低減することができる。
【００８０】
また、本実施形態によれば、各第２リブ９２は、ノズル３９よりも搬送向き１５の下流に配置されている。これにより、用紙１２のノズル３９と対向する部分における左右方向９に沿った波形状を、第１リブ９１のみで形成することができる。その結果、用紙１２のノズル３９と対向する部分における左右方向９に沿った波形状を一定形状に維持することができる。
【００８１】
また、本実施形態によれば、各第２リブ９２は、搬送向き１５において各第１リブ９１と間隔を空けて配置されている。これにより、搬送向き１５における第１リブ９１と第２リブ９２との間のプラテン４２の領域（第１領域８１Ａ）を、所謂縁なし印刷の際に用紙１２の外縁部へ吐出されたインク滴が着弾する領域として利用することができる。つまり、本実施形態に係る複合機１０を縁なし印刷可能な装置とすることができる。
【００８２】
また、本実施形態によれば、搬送向き１５における第１リブ９１と第２リブ９２との間において、用紙１２における波形状の谷の部分は第３リブ９３によって支持される。これにより、縁なし印刷の際に、搬送向き１５における第１リブ９１と第２リブ９２との間の第１領域８１Ａに着弾したインクが用紙１２へ付着することを低減することができる。
【００８３】
また、本実施形態によれば、各第１リブ９１と各当接部材８１の下流端部８１Ａとが協同して、用紙１２に左右方向９に沿った波形状を付与することができる。これにより、安定した波形状を用紙１２に付与することができる。
【００８４】
［変形例］
各第２リブ９２の上面９２Ａの左右方向９の長さは、図７（Ａ）にハッチングにて示された領域９４内であることが好ましい。ここで、領域９４は、各当接部材８１の搬送向き１５の下流端同士を結んだ直線Ｒ１、直線Ｒ１及び各第１リブ９１の交点Ｃ１、Ｃ２と排出ローラ６２の各ローラ部５８の後右端ＢＲ及び後左端ＢＬとを結んだ線Ｒ２、Ｒ３、並びに各ローラ部５８の後端とで囲まれる領域である。
【００８５】
また、図７（Ｂ）に示されるように、各第２リブ９２は、上面９２Ａの左右方向９の長さが搬送向き１５の下流へ向かうにしたがって長くなるように構成されていてもよい。
【００８６】
上記変形例によれば、各第１リブ９１によって形成された用紙１２の左右方向９に沿った波形状の、搬送向き１５の下流へ向かうに従った段階的な変化を細かくすることができる。これにより、用紙１２のローラ部５８進入時における波形状の崩れを上記実施形態よりも更に低減することができる。
【００８７】
また、図８（Ａ）に示されるように、各第１リブ９１も各第２リブ９２と同様に、上面９１Ａの左右方向９の長さが搬送向き１５の下流へ向かうにしたがって長くなるように構成されていてもよい。
【００８８】
なお、図７、図８（Ａ）、及び後述する図９では、第３リブ９３が描かれていないが、図７、図８（Ａ）、及び図９に示される構成の場合、第３リブ９３の有無は任意である。
【００８９】
また、上記実施形態では、各第２リブ９２は、各第１リブ９１との間に搬送向き１５に間隔を空けて配置されていた。しかし、図８（Ｂ）に示されるように、各第２リブ９２は、搬送向き１５において各第１リブ９１と繋がっていてもよい。
【００９０】
また、図９に示されるように、第１リブ９１及び第２リブ９２は、搬送向き１５に間隔を空けて配置された複数のリブで構成されていてもよい。なお、プラテン４２が第３リブ９３を備える場合、第３リブ９３も、搬送向き１５に間隔を空けて配置された複数のリブで構成されていてもよい。
【００９１】
また、上記実施形態では、第２リブ９２は、プラテン４２に設けられていた。しかし、第２リブ９２は、プラテン４２以外、例えば下流支持部７８に設けられていてもよい。
【００９２】
また、上記実施形態では、排出ローラ対４４において、排出ローラ６２が拍車ローラ６３よりも下方に配置されていたが、排出ローラ６２が拍車ローラ６３よりも上方に配置されていてもよい。この場合、排出ローラ６２の各ローラ部５８の表面５８Ａが用紙１２の第１面と当接し、各拍車ローラ６３を構成する歯車の歯の先端が用紙１２の第２面と当接することによって、排出ローラ対４４は用紙１２を挟持可能である。
【符号の説明】
【００９３】
１０・・・複合機（インクジェット記録装置）
１２・・・用紙（シート）
１５・・・搬送向き
２４・・・記録部
３９・・・ノズル
４２・・・プラテン
５８・・・ローラ部（ローラ）
５８Ａ・・・表面（当接面）
９１・・・第１リブ
９１Ａ・・・上面（支持面）
９２・・・第２リブ
９２Ａ・・・上面（支持面）
【図１】
0006780249.tif 000002
【図２】
0006780249.tif 000003
【図３】
0006780249.tif 000004
【図４】
0006780249.tif 000005
【図５】
0006780249.tif 000006
【図６】
0006780249.tif 000007
【図７】
0006780249.tif 000008
【図８】
0006780249.tif 000009
【図９】
0006780249.tif 000010